(57)【特許請求の範囲】
【請求項１】
ＩＤカードの記録領域の全領域にアクセス可能な第１のＩＤカード処理装置と、前記ＩＤカードの記録領域の一部の領域のみアクセス可能な第２のＩＤカード処理装置とを含み、前記ＩＤカードに記録されている情報に基づいてＩＤカードの有効性を認証するシステムであって、前記ＩＤカードにおける前記第２のＩＤカード処理装置のアクセス可能な領域にカード発行者ＩＤ、カード所有者ＩＤの少なくとも一方が記録され、前記第２のカード処理装置でアクセスできない領域にはそれ以外の情報が記録されており、前記ＩＤカードの有効性を認証する場合、前記第２のＩＤカード処理装置を用いてＩＤカードに記録されているカード発行者ＩＤ、カード所有者ＩＤの少なくとも一方を再生することを特徴とするＩＤカードシステム。
【請求項２】
前記第１のＩＤカード処理装置は、ホストコンピュータと、前記ＩＤカードに情報を記録／再生する据え置き型の記録再生装置から成ることを特徴とする請求項１に記載のＩＤカードシステム。
【請求項３】
前記第２のＩＤカード処理装置は、キー入力部と、ＩＤカードに情報を記録／再生する記録再生装置と、ＩＤカードからの再生情報を表示する表示部とから成る携帯型ＩＤカード処理装置であることを特徴とする請求項１に記載のＩＤカードシステム。
【請求項４】
前記第２のＩＤカード処理装置による前記ＩＤカードの有効性の認証結果が有効なＩＤカードであった場合、少なくとも認証した日時及び／または場所を前記ＩＤカードに記録することを特徴とする請求項１に記載のＩＤカードシステム。
【請求項５】
前記第２のＩＤカード処理装置による前記ＩＤカードの有効性の認証結果が無効なＩＤカードであった場合、無効なＩＤカードであることを示す情報を前記ＩＤカードに記録することを特徴とする請求項１に記載のＩＤカードシステム。
【請求項６】
前記第２のＩＤカード処理装置による前記ＩＤカードに犯罪歴の情報が記録されている場合には、前記第１のＩＤカード処理装置を用いて前記ＩＤカードの第２のＩＤカード処理装置でアクセスできない領域に記録されている前記犯罪歴の情報を再生することを特徴とする請求項１に記載のＩＤカードシステム。
【発明の詳細な説明】
【０００１】
【発明の属する技術分野】
本発明は、ＩＤカード処理装置を用いてＩＤカードの認証を行うＩＤカードシステムに関するものである。
【０００２】
【従来の技術】
従来、ＩＤカードの種類として、磁気カード、ＩＣカード、光カード等各種のものが知られている。これらのカードのうち光カードは大記録容量の追記型情報記録媒体であるために、記録情報の改ざんが困難であり、ＩＤカードとして大きな需要が見込まれている。
【０００３】
図６は光カードの一例を示す図である。図６において、光カード１には光記録領域２が設けられ、その中に直線状のトラッキングトラック３1 〜３N+1 が平行に多数配列されている。トラッキングトラックの間には情報を記録するための情報トラック４1 〜４N が設けられている。情報トラック４の両端には、予め情報トラック４を識別するための物理的トラックナンバー５1 〜５N が付加されている。ここで、記録する情報の種類により光記録領域２を任意の情報トラック本数毎に複数の領域に分割する事ができ、図６の例では、情報トラック４1 〜４M1をブロック６1 、情報トラック４M1+1〜４M2をブロック６2 、情報トラック４M2+1〜４N をブロック６3 として光記録領域２は３つのブロックに分割されている。また、７11〜７1L1 はブロック６1 内に記録されている情報、７21〜７2L2 はブロック６2 内に記録されている情報、７31〜７3L3 はブロック６3 内に記録されている情報である。
【０００４】
光カードをＩＤカードとして使用する場合、その応用分野は色々考えられるが、ここではパスポートカードとして用いた場合について説明する。パスポートカードは簡単にいうと、現在の手帳型のパスポートの代わりになるものであり、光カードにパスポート発行者ＩＤ、パスポート所有者ＩＤ等の情報を記録するものである。このようなパスポートカードの発行は、国が認めたパスポート発行機関で、ＩＤカード発行装置を用いてパスポート発行者ＩＤやパスポート所有者ＩＤ等の情報を記録することにより行う。
【０００５】
次に、このようなパスポートカードを用いた通関システムについて説明する。まず、パスポートカードを所有した人が外国へ出国する場合、出国する人が出国審査カウンタでＩＤカードを係官に手渡すと、係官はＩＤカード処理装置にＩＤカードを挿入し、ＩＤカードに記録されているパスポート発行者ＩＤやパスポート所有者ＩＤ等の情報を再生する。そして、再生された情報を参照して正当なＩＤカードか否か、またはＩＤカードが本人のものであるかを認証し、認証した結果が有効な場合はＩＤカードに出国日時及び／または場所を記録した後ＩＤカードを本人に手渡して、出国審査を終了する。
【０００６】
また、外国から入国する場合も同様に、入国する人が入国審査カウンタでＩＤカードを係官に手渡すと、係官はＩＤカード処理装置にＩＤカードを挿入し、ＩＤカードに記録されているパスポート発行者ＩＤやパスポート所有者ＩＤ等の情報を再生する。そして、再生された情報を参照して正当なＩＤカードか否か、またはＩＤカードが本人のものであるかを認証し、認証した結果が有効な場合はＩＤカードに入国日時及び／または場所を記録した後に、ＩＤカードを本人に手渡して、入国審査を終了する。
【０００７】
ここで、パスポートカードを発行するＩＤカード発行装置と入出国カウンタで使用するＩＤカード処理装置は同じものを用いることができる。図７はその概観図を示している。ＩＤカード発行装置とＩＤカード処理装置は、図７に示すようにホストコンピュータと光カード情報記録再生装置から成っている。このようにホストコンピュータと接続して使用する光カード情報記録再生装置は、据え置き型光カード情報記録再生装置と呼ばれている。この据え置き型光カード情報記録再生装置を用いて光カードに情報を記録する場合、ホストコンピュータに情報を入力した後、ホストコンピュータからの命令により光カードに情報を記録する。また、光カードから情報を再生する場合は、ホストコンピュータの命令により光カードから情報を再生し、再生した情報をホストコンピュータのディスプレイに表示する。
【０００８】
【発明が解決しようとする課題】
しかしながら、一般的に出国審査カウンタや入国審査カウンタの場所は狭いため、ホストコンピュータと据え置き型光カード情報記録再生装置からなるＩＤカード処理装置を導入しようとすると、出国審査カウンタや入国審査カウンタに設置できない、または設置できたとしても多くの場所を占有してしまうという問題があった。また、ＩＤカード処理装置を導入する場合、ホストコンピュータと据え置き型光カード情報記録再生装置の両方を購入しなければならないため、費用が高くなるという問題があった。
【０００９】
本発明は、このような事情に鑑みなされたもので、小型で且つ狭い場所に設置でき、しかも安価に導入することが可能なＩＤカードシステムを提供することを目的とする。
【００１０】
【課題を解決するための手段】
本発明の目的は、ＩＤカードの記録領域の全領域にアクセス可能な第１のＩＤカード処理装置と、前記ＩＤカードの記録領域の一部の領域のみアクセス可能な第２のＩＤカード処理装置とを含み、前記ＩＤカードに記録されている情報に基づいてＩＤカードの有効性を認証するシステムであって、前記ＩＤカードにおける前記第２のＩＤカード処理装置のアクセス可能な領域にカード発行者ＩＤ、カード所有者ＩＤの少なくとも一方が記録され、前記第２のカード処理装置でアクセスできない領域にはそれ以外の情報が記録されており、前記ＩＤカードの有効性を認証する場合、前記第２のＩＤカード処理装置を用いてＩＤカードに記録されているカード発行者ＩＤ、カード所有者ＩＤの少なくとも一方を再生することを特徴とするＩＤカードシステムによって達成される。
【００１１】
【発明の実施の形態】
以下、本発明の実施の形態について図面を参照して詳細に説明する。まず、図１は本発明によるＩＤカードシステムに用いる携帯型ＩＤカード処理装置の概観を示す斜視図である。この携帯型ＩＤカード処理装置は図１に示すように表示部とキー入力部が設けられた光カード情報記録再生装置で、ホストコンピュータに接続しなくとも単独で動作することが可能である。また、携帯型ＩＤカード処理装置は図７の据え置き型光カード情報記録再生装置と比較して大きさが小さく、携帯することが可能である。そのため、携帯型光カード情報記録再生装置と呼ばれている。この携帯型光カード情報記録再生装置はキー入力部の操作により光カードに情報を記録し、または光カードから情報を再生し、再生された情報を表示部に表示することができる。なお、本実施形態では、図６の光カードをパスポートカードとして用いるものとする。
【００１２】
図２は図１の携帯型光カード情報記録再生装置の内部の構成を示すブロック図である。図２において、まず、５０は図１の携帯型光カード情報記録再生装置である。携帯型光カード情報記録再生装置５０は装置内の各部を制御するＭＰＵ５１、記録情報を変調あるいは再生情報を復調する変復調回路５２、光源の半導体レーザを駆動する半導体レーザ駆動回路５３、オートトラッキング（以下、「ＡＴ」と称する）及びオートフォーカシング（以下、「ＡＦ」と称する）制御を行うＡＴ／ＡＦ制御回路５４を備えている。また、光カード情報記録再生装置５０内には、半導体レーザや光学系などを内蔵した光ヘッド５５、この光ヘッド５５を情報トラックと平行方向に移動させるためのスキャンモータ５７、光カード１を情報トラックと直角方向に移動させて光スポットを目標トラックヘアクセスさせるためのシークモータ５６が配置されている。光カード１は図６と同じであるので説明を省略する。
【００１３】
ここで、携帯型光カード情報記録再生装置５０では光カード１を情報トラックと直角方向に移動させて光スポットを目標トラックへアクセスするため、光カード１の全ての情報トラックをアクセスしようとすると、光カード１の移動量が大きくなり、携帯型光カード情報記録再生装置５０の規模が大きくなってしまう。そこで、本実施形態では携帯型光カード情報記録再生装置５０の規模を小さくするため、アクセスできる情報トラックの範囲を制限している。この様な制限を設けることにより、光カードの移動量を小さくして携帯型の装置５０を小型化している。この装置５０を用いた場合、例えば、図６の光カードのブロック６1 とブロック６2 はアクセスできるが、ブロック６3 はアクセスすることができない。また、携帯タイプの光カード情報記録再生装置５０には表示部５８とキー入力部５９が設けられ、キー入力部５９の操作により情報の記録／再生を行い、再生情報を表示部５８に表示することが可能である。
【００１４】
図３は光ヘッド５５の概略構成を示す図である。図３において、まず、６０は光源の半導体レーザである。半導体レーザ６０から出射したレーザ光束はコリメータレンズ６１で平行化された後、ビームスプリッタ６２を通って対物レンズ６３へ入射する。対物レンズ６３はレーザ光束を微小スポットに絞り込んで光カード１の記録層１１へ照射する。一方、光カード１から反射した光束は再び対物レンズ６３を通ってビームスプリッタ６２へ入射し、集光レンズ６４へ導かれる。そして、集光レンズ６４を経由した光束は光検出器６５で検出され、その検知信号はＡＴ／ＡＦ制御回路５４へ送られ、公知の方式によりＡＴ及びＡＦ制御を行う。なお、光カード１は支持基盤１２上に記録層１１が形成され、その表面に保護層１０が形成された構成である。
【００１５】
なお、図７の据え置き型光カード情報記録再生装置は携帯型光カード情報記録再生装置５０とほぼ同じような構成であるため説明を省略するが、表示部とキー入力部は設けられていない。また、ホストコンピュータと接続するためのインターフェース部が設けられ、ホストコンピュータからの命令に従って情報の記録再生を行う。また、据え置き型光カード情報記録再生装置は光カード１の情報記録領域のすべての情報トラックにアクセスすることができる。
【００１６】
ここで、ＩＤカードを発行する場合、図７のホストコンピュータと据え置き型光カード情報記録再生装置からなるＩＤカード発行装置を用いるものとする。本実施形態では、従来例と同様に光カードをパスポートカードとして用いる場合を例として説明する。光カードをパスポートカードとして用いる場合、図６の光カードのブロック６1 にパスポート発行者ＩＤやパスポート所有者ＩＤ等の情報を記録し、ブロック６2 にＩＤカードの有効性を認証した結果を記録し、例えば、認証した日時及び／または場所等の情報を記録するものとする。また、パスポート発行者ＩＤはパスポートカードを発行した国名、シリアル番号、発行日時、有効期限等の情報からなっていて、パスポート所有者ＩＤはパスポートカードを所有する人の氏名、住所、生年月日、性別、顔写真、犯罪歴の有無等の情報からなっている。また、ブロック６3 には犯罪歴があった場合、その犯罪の具体的内容を記録するものとする。
【００１７】
パスポートカードの発行は国が認めたパスポート発行機関で行い、この発行時に前述のようにホストコンピュータと据え置き型光カード情報記録再生装置からなるＩＤカード発行装置を用いてブロック６1 にパスポート発行者ＩＤやパスポート所有者ＩＤ等の情報を記録し、犯罪歴があった場合はブロック６3 に犯罪の具体的内容を記録するものとする。ブロック６2 は出国する時または入国する時に用いられ、パスポートカードの発行時には何も記録しない。ここで、携帯型カード処理装置はアクセスできる情報トラックの範囲が制限されているが、ホストコンピュータと据え置き型光カード情報記録再生装置からなるＩＤカード発行装置は光カードの全ての領域をアクセス可能であるため、ブロック６1 とブロック６3 に情報を記録することができる。
【００１８】
次に、本実施形態によるＩＤカードシステムについて説明する。まず、本実施形態のＩＤカードシステムは図１の携帯型光カード情報記録再生装置からなるＩＤカード処理装置と、図７のホストコンピュータと据え置き型光カード情報記録再生装置からなるＩＤカード処理装置から構成されている。図１の携帯型の装置５０は複数の出国審査カウンタや入国審査カウンタにそれぞれ設置され、図７の装置はそれ以外の場所に１台設置されているものとする。図４は以上のようなシステムを用いて外国へ出国する時に出国審査カウンタで出国審査を行う場合の方法を説明するためのフローチャートである。
【００１９】
図４において、まず、出国審査を行う場合、出国審査カウンタでパスポートカード（ＩＤカード）を係官に提出する（Ｓ４１）。係官は提出されたＩＤカードを出国審査カウンタに設置された図１のＩＤカード処理装置に挿入し、また、キー入力部５９を操作することによりＩＤカードのブロック６1 に記録されているパスポート発行者ＩＤやパスポート所有者ＩＤを再生して表示部５８に表示する（Ｓ４２）。次いで、係官はパスポート発行者ＩＤに含まれている国名、シリアル番号、発行日時、有効期限等の情報を参照して正当な発行者ＩＤかどうかを判定する（Ｓ４３）。また、カード所有者ＩＤに含まれている氏名、住所、生年月日、性別、顔写真などを参照して正当な所有者ＩＤかどうかを判定する（Ｓ４４）。もし、Ｓ４３，Ｓ４４で不当な発行者ＩＤや所有者ＩＤと判断し、認証結果が無効である時はキー入力部５９を操作して無効なＩＤカードであることを示す情報をＩＤカードのブロック６2 に記録する（Ｓ４７）。この時は出国審査はＮＧとなり、カード所有者は出国できない。
【００２０】
また、Ｓ４３，Ｓ４４で認証結果が有効である時はカード所有者ＩＤに含まれている犯罪歴の有無を示す情報に基づいて犯罪歴が有るか否かを判定する（Ｓ４５）。犯罪歴がない時はＩＤカードのブロック６2 に出国日時及び／又は認証場所等を記録し（Ｓ４６）、その後、ＩＤカードを本人に手渡して出国審査を終了する。携帯型ＩＤカード処理装置５０はブロック６3 にアクセスすることはできないが、ブロック６1 とブロック６2 はアクセス可能であるので、カード発行者ＩＤやカード所有者ＩＤを認証するには十分である。
【００２１】
一方、Ｓ４５で犯罪歴があって詳細な審査を必要とする場合は、別な場所に設置されている図７のホストコンピュータと据え置き型光カード情報記録再生装置を用いてブロック６3 に記録されている犯罪の具体的内容を再生し（Ｓ４８）、詳細な審査を行う。ここで、図４のフローチャートで点線で囲んだ１００の処理は図１の携帯型光カード情報記録再生装置５０を用いて行い、点線で囲んだ１０１の処理は図７のホストコンピュータと据え置き型光カード情報記録再生装置からなるＩＤカード処理装置を用いて行う。
【００２２】
図５は外国から入国する時に入国審査を行う場合の方法を説明するためのフローチャートである。図５において、外国から入国する場合も同様に入国する人は入国審査カウンタでＩＤカードを係官に提出する（Ｓ５１）。係官は携帯型ＩＤカード処理装置５０にＩＤカードを挿入し、ＩＤカードに記録されているパスポート発行者ＩＤやパスポート所有者ＩＤの情報を再生し、表示部５８に表示する（Ｓ５２）。パスポート発行者ＩＤやパスポート所有者ＩＤ等の情報はＩＤカードに携帯型のカード処理装置５０で記録再生可能な領域に記録されているため携帯型の装置５０で容易に再生することができる。
【００２３】
次いで、係官は表示された発行者ＩＤや所有者ＩＤを参照して正当な発行者ＩＤか否か（Ｓ５３）、正当な所有者ＩＤか否か（Ｓ５４）、犯罪歴があるか否か（Ｓ５５）を認証する。もし、認証した結果が有効な場合はＩＤカードに入国日時及び／または認証した場所等の情報を記録し（Ｓ５６）、その後、ＩＤカードを本人に手渡して、入国審査を終了する。一方、認証した結果が無効な場合は、キー入力部５９を操作して無効なＩＤカードであることを示す情報を記録し（Ｓ５７）、また、犯罪歴があって詳細な審査を必要とする場合は、別な場所に設置されたホストコンピュータと据え置き型光カード情報記録再生装置を用いて犯罪の具体的内容が記録されている情報を再生し（Ｓ５８）、詳細な審査を行う。図５のフローチャートで点線で囲んだ２００は図１の携帯型光カード情報記録再生装置５０を用いて行い、点線で囲んだ２０１の処理は図７のホストコンピュータと据え置き型光カード情報記録再生装置を用いて行う。
【００２４】
このように本実施形態では、出国審査カウンタや入国審査カウンタに図１の携帯型のＩＤカード処理装置５０を設置してカード発行者ＩＤやカード所有者ＩＤを再生し、入国審査や出国審査を行うようにしているので、出国審査カウンタや入国審査カウンタの場所をあまり占有することがなく、また、審査業務のほとんどを携帯型のＩＤカード処理装置だけで行うことができる。また、詳細な審査を必要とするときは、別の場所に設置されているホストコンピュータと据え置き型の装置を用いて審査を行うことができる。従って、システム全体として図１の携帯型の装置５０を複数設置し、図１の大型の装置を１台設置すればよいため、システムを安価に導入することができる。
【００２５】
なお、以上の実施形態では、ＩＤカードの応用例としてパスポートカードについて説明したが、本発明はこれに限ることなく、例えば、運転免許証カード等にも応用可能である。また、パスポート発行者ＩＤはパスポートカードを発行した国名、シリアル番号、発行日時、有効期限等の情報からなるとしているが、これに限定されるものではなく、例えばＩＤカードを発行した機関の名前などを含んでいても良い。更に、パスポート所有者ＩＤは、パスポートカードを所有する人の氏名、住所、生年月日、性別、顔写真、犯罪歴の有無等の情報からなるとしているが、これに限定されるものではなく、例えばＩＤカードを所有する人の電話番号等の情報を含んでいても良い。
【００２６】
【発明の効果】
以上説明したように本発明によれば、ＩＤカードの記録領域の一部の領域のみアクセス可能な携帯型ＩＤカード処理装置を用いてＩＤカードに記録されたカート発行者ＩＤやカード所有者ＩＤを再生してカードの有効性を認証することにより、ホストコンピュータや大型のカード処理装置が不要となって狭い場所に設置することができ、また、小型の携帯型装置を複数設置し、大型の装置は１台で済むためにシステムを安価に導入することができる。
【図面の簡単な説明】
【図１】本発明のＩＤカードシステムに用いる携帯型のＩＤカード処理装置の一例を示す外観図である。
【図２】図１の装置の内部構成を示すブロック図である。
【図３】図２の光ヘッドを詳細に示す図である。
【図４】本発明によるＩＤカードシステムで出国審査を行う場合の方法を説明するためのフローチャートである。
【図５】本発明によるＩＤカードシステムで入国審査を行う場合の方法を説明するためのフローチャートである。
【図６】光カードの平面図である。
【図７】ホストコンピュータ及び据え置き型光カード情報記録再生装置の外観を示す図である。
【符号の説明】
１    光カード（ＩＤカード）
２    光記録領域
５０    携帯型光カード情報記録再生装置
５２    変復調回路
５３    半導体レーザ駆動回路
５４    ＡＴ／ＡＦ制御回路
５５    光ヘッド
５６    シークモータ
５７    スキャンモータ
５８    表示部
５９    キー入力部
【図１】
0003869940.tif 000002
【図２】
0003869940.tif 000003
【図３】
0003869940.tif 000004
【図４】
0003869940.tif 000005
【図５】
0003869940.tif 000006
【図６】
0003869940.tif 000007
【図７】
0003869940.tif 000008